(57)【要約】【課題】視界が遮られることなく表示内容を調整できる電子機器を実現する。【解決手段】電子機器（１）は、周縁領域の少なくとも一部に切欠き部（３）が形成されている表示部（２０）と、表示部（２０）に重畳されたタッチパネル（３０）と、切欠き部（３）に嵌るように配置された接触センサ（４０）と、制御部（１０）とを備え、制御部（１０）はタッチパネル（３０）および接触センサ（４０）に対するタッチ操作を検知すると、少なくとも一方に対するスライド量に応じて、表示内容の変化率を調整する。【選択図】図１
2020057216.tif 000002
【特許請求の範囲】
【請求項１】
周縁領域の少なくとも一部に切欠き部が形成されている表示部と、
前記表示部に重畳されたタッチパネルと、
前記切欠き部に嵌るように配置された接触センサと、
制御部と、を備え、
前記制御部は、
前記タッチパネルおよび前記接触センサに対するタッチ操作を検知すると、前記タッチパネルおよび前記接触センサの少なくとも一方に対するスライド量に応じて、前記表示部における表示内容の変化率を調整する調整処理を実行することを特徴とする電子機器。
【請求項２】
前記制御部が実行する調整処理は、前記表示内容のズーム倍率の調整処理であることを特徴とする請求項１に記載の電子機器。
【請求項３】
前記接触センサに対するスライド量に応じた前記表示内容の変化率と、前記タッチパネルに対するスライド量に応じた前記表示内容の変化率が相違していることを特徴とする請求項１に記載の電子機器。
【請求項４】
前記接触センサが、指紋センサであることを特徴とする請求項１から３のいずれか１項に記載の電子機器。
【請求項５】
請求項１に記載の電子機器における制御部としてコンピュータを機能させるための制御プログラム。
【請求項６】
周縁領域の少なくとも一部に切欠き部が形成されている表示部と、
前記表示部に重畳されたタッチパネルと、
前記切欠き部に嵌るように配置された接触センサと、を備える電子機器を制御するための制御装置であって、
前記制御装置は、
前記タッチパネルおよび前記接触センサに対するスライド操作を検知すると、前記タッチパネルおよび前記接触センサの少なくとも一方に対するスライド量に応じて、前記表示部における表示内容の変化率を調整する調整処理を実行する調整処理部を備えていることを特徴とする制御装置。
【請求項７】
周縁領域の少なくとも一部に切欠き部が形成されている表示部と、
前記表示部に重畳されたタッチパネルと、
前記切欠き部に嵌るように配置された接触センサと、を備える電子機器を制御するための制御方法であって、
前記タッチパネルおよび前記接触センサに対するスライド操作を検知すると、前記タッチパネルおよび前記接触センサの少なくとも一方に対するスライド量に応じて、前記表示部における表示内容の変化率を調整する調整処理ステップを備えていることを特徴とする電子機器の制御方法。
【発明の詳細な説明】
【技術分野】
【０００１】
本発明は電子機器、制御装置、電子機器の制御方法、および制御プログラムに関する。
【背景技術】
【０００２】
従来、複数の指を用いたジェスチャによりタッチパネル上に表示される画像を操作する技術が知られている。特許文献１には、ゲーム空間が表示されるタッチパネル上において、プレイヤにより指示された２点の距離、または２点を結ぶ角度に応じてゲーム空間のキャラクタを制御できるゲーム機について開示されている。特許文献２には、タッチスクリーン上で検出される初期タッチと、初期タッチと少なくとも一部が同時期に起こる第２のタッチを検出し、第２のタッチに応じてＧＵＩ要素を活性化させるコンピュータシステムについて開示されている。
【先行技術文献】
【特許文献】
【０００３】
【特許文献１】特開2006-34754号公報（２００６年２月９日公開）
【特許文献２】特表2008-508600号公報（２００８年３月２１日公表）
【発明の概要】
【発明が解決しようとする課題】
【０００４】
しかしながら、上述のような従来技術は、タッチパネルに表示される画像に指を直接触れて複数の指で操作するため、表示内容を確認しようとするユーザの視界をユーザの手や腕が遮ることがある。そのため、所望の動作が正しく行なわれているかどうか、ユーザが判断し辛いという問題がある。
【０００５】
本発明は前記の問題点に鑑みてなされたものであり、その目的は、表示内容を確認する視界が遮られることなく表示内容を調整することができる電子機器を実現することにある。
【課題を解決するための手段】
【０００６】
上記の課題を解決するために、本発明の一態様に係る電子機器は、周縁領域の少なくとも一部に切欠き部が形成されている表示部と、前記表示部に重畳されたタッチパネルと、前記切欠き部に嵌るように配置された接触センサと、制御部と、を備え、前記制御部は、前記タッチパネルおよび前記接触センサに対するタッチ操作を検知すると、前記タッチパネルおよび前記接触センサの少なくとも一方に対するスライド量に応じて、前記表示部における表示内容の変化率を調整する調整処理を実行する。
【０００７】
また、本発明の一態様に係る制御装置は、周縁領域の少なくとも一部に切欠き部が形成されている表示部と、前記表示部に重畳されたタッチパネルと、前記切欠き部に嵌るように配置された接触センサと、を備える電子機器を制御するための制御装置であって、前記制御装置は、前記タッチパネルおよび前記接触センサに対するスライド操作を検知すると、前記タッチパネルおよび前記接触センサの少なくとも一方に対するスライド量に応じて、前記表示部における表示内容の変化率を調整する調整処理を実行する調整処理部を備えている。
【０００８】
さらに、本発明の一態様に係る電子機器の制御方法は、周縁領域の少なくとも一部に切欠き部が形成されている表示部と、前記表示部に重畳されたタッチパネルと、前記切欠き部に嵌るように配置された接触センサと、を備える電子機器を制御するための制御方法であって、前記タッチパネルおよび前記接触センサに対するスライド操作を検知すると、前記タッチパネルおよび前記接触センサの少なくとも一方に対するスライド量に応じて、前記表示部における表示内容の変化率を調整する調整処理ステップを備えている。
【発明の効果】
【０００９】
本発明の一態様によれば、表示内容を確認する視界が遮られることなく表示内容を調整することができる効果を奏する。
【図面の簡単な説明】
【００１０】
【図１】実施形態１に係る電子機器の構成を示すブロック図である。
【図２】上記電子機器の外観図である。
【図３】上記電子機器による被写体撮影時において、タッチパネルに対するスライド操作に応じたズームインの一例を示す図である。（ａ）はスライド操作前の画像を示す図であり、（ｂ）はスライド操作後の画像を示す図である。
【図４】上記電子機器による被写体撮影時において、接触センサに対するスライド操作に応じたズームインの一例を示す図である。（ａ）はスライド操作前の画像を示す図であり、（ｂ）はスライド操作後の画像を示す図である。
【図５】上記電子機器による被写体撮影時において、タッチパネルに対するスライド操作に応じたズームアウトの一例を示す図である。（ａ）はスライド操作前の画像を示す図であり、（ｂ）はスライド操作後の画像を示す図である。
【図６】上記電子機器による被写体撮影時において、接触センサに対するスライド操作に応じたズームアウトの一例を示す図である。（ａ）はスライド操作前の画像を示す図であり、（ｂ）はスライド操作後の画像を示す図である。
【図７】上記電子機器が実行する変化率調整処理の流れの一例を示すフローチャートである。
【図８】実施形態１の変形例に係る電子機器のタッチパネルおよび接触センサに対するスライド操作に応じたモード変更の一例を示す図である。（ａ）はスライド操作前の写真撮影モードを示す図であり、（ｂ）はスライド操作後の動画撮影モードを示す図である。
【図９】実施形態２に係る電子機器の接触センサに対するスライド操作に応じた動画再生の一例を示す図である。（ａ）は画面下側へのスライド操作後の動画再生画像を示す図であり、（ｂ）は画面上側へのスライド操作後の動画再生画像を示す図である。
【図１０】上記電子機器の接触センサに対するスライド操作に応じた動画再生の他の例を示す図である。（ａ）はスライド操作前の動画再生画像を示す図であり、（ｂ）は画面左側へのスライド操作後の動画再生画像を示す図であり、（ｃ）は画面右側へのスライド操作後の動画再生画像を示す図である。
【図１１】上記電子機器のタッチパネルおよび接触センサに対するスライド操作に応じた動画再生の一例を示す図である。（ａ）は画面下側へのスライド操作後の動画再生画像を示す図であり、（ｂ）は画面上側へのスライド操作後の動画再生画像を示す図である。
【図１２】実施形態２の変形例に係る電子機器のタッチパネルに対するスライド操作に応じた動画再生の一例を示す図である。（ａ）は画面下側へのスライド操作後の動画再生画像を示す図であり、（ｂ）は画面上側へのスライド操作後の動画再生画像を示す図である。
【図１３】実施形態３に係る電子機器の接触センサに対するスライド操作に応じた表示部の明るさの変化の一例を示す図である。（ａ）はスライド操作前の表示部の明るさを示す図であり、（ｂ）は画面上側へのスライド操作後の表示部の明るさを示す図であり、（ｃ）は画面下側へのスライド操作後の表示部の明るさを示す図である。
【図１４】実施形態３の変形例に係る電子機器の接触センサに対するスライド操作に応じた音量変化の一例を示す図である。（ａ）は画面下側へのスライド操作後の音量を示す図であり、（ｂ）は画面上側へのスライド操作後の音量を示す図である。
【発明を実施するための形態】
【００１１】
以下、本発明の実施形態について詳細に説明する。なお、説明の便宜上、各実施形態に示した部材と同一の機能を有する部材については、同一の符号を付記し、適宜その説明を省略する。
【００１２】
〔実施形態１〕
（電子機器１の構成）
図１は実施形態１に係る電子機器１の構成を示すブロック図である。図２は電子機器１の外観図である。
【００１３】
電子機器１は、図１に示すように、制御部１０、表示部２０、タッチパネル３０、接触センサ４０、記憶部５０、カメラ６０、およびバックライト７０を備えている。電子機器１は、例えば、スマートフォンまたはタブレット端末等の携帯情報端末であってもよい。表示部２０、タッチパネル３０および記憶部５０は、単数であってもよいし、複数であってもよい。なお、制御部１０を備え、電子機器１を制御する制御装置についても本発明の範疇に入る。この制御装置は、単数であってもよいし、複数であってもよい。なお、バックライト７０については実施形態３で説明する。
【００１４】
制御部１０は、電子機器１の各部を統括的に制御する。制御部１０の機能は、記憶部５０に記憶されたプログラムを、ＣＰＵ（Central Processing Unit）が実行することで実現されてよい。制御部１０の詳細については後述する。
【００１５】
表示部２０は、各種情報を表示する。表示部２０は、後述する変化率調整部１４の指示に基づき、変化率が調整された画像を表示する。表示部２０は、図２に示すように、外縁を周縁領域２に囲まれている。表示部２０は、周縁領域２の少なくとも一部に切欠き部３が形成されている。言い換えると、表示部２０は、外縁の少なくとも一部に形成された切欠き部３を有する。また、表示部２０の外縁は略矩形であり、略矩形の隣り合う２辺により円弧が形成されている。
【００１６】
タッチパネル３０は、物体（例：ユーザの指）の接触または近接を検出することで、ユーザの入力操作を受け付ける。具体的には、タッチパネル３０は、ユーザの指によるタッチ操作およびスライド操作を検出する。タッチパネル３０は、表示部２０に重畳されている。タッチパネル３０は、検出結果を後述するタッチパネル制御部１２に供給する。
【００１７】
接触センサ４０は、切欠き部３に嵌るように配置されている。接触センサ４０は、物体の接触または近接を検出することで、ユーザの入力操作を受け付ける。具体的には、接触センサ４０は、ユーザの指によるタッチ操作、およびスライド操作を検出する。接触センサ４０は、検出結果を後述する接触センサ制御部１３に供給する。
【００１８】
接触センサ４０は、タッチされた指の指紋を検出する指紋センサであることが好ましい。接触センサ４０を指紋センサとすることで、例えば、指紋センサによるロック解除の操作の後、動作を大きく変化させることなく表示内容の変化率を変更することができる。また、接触センサ４０は、指紋センサに限定されるものではなく、例えば感圧センサや照度センサであってもよい。
【００１９】
記憶部５０は、制御部１０が実行する各種のプログラム、およびプログラムによって使用されるデータを格納する。また、記憶部５０は変化率対応テーブルが記憶されている。変化率対応テーブルの詳細については後述する。カメラ６０は、被写体を写真または動画で撮影する。カメラ６０は、後述する調整処理部１４５により調整された変化率に合わせて被写体をズームイン、またはズームアウトする。
【００２０】
（制御部１０の構成）
制御部１０は、タッチパネル３０および接触センサ４０に対するタッチ操作を検知すると、タッチパネル３０および接触センサ４０の少なくとも一方に対するスライド量に応じて、表示部２０における表示内容の変化率を調整する調整処理を実行する。本実施形態では、制御部１０は、タッチパネル３０および接触センサ４０に対するタッチ操作を検知すると、タッチパネル３０および接触センサ４０の少なくとも一方に対するスライド量に応じて、ズームインまたはズームアウトを行う。
【００２１】
制御部１０は、表示制御部１１、タッチパネル制御部１２、接触センサ制御部１３、変化率調整部１４、カメラ制御部１５、動画再生制御部１６、およびバックライト制御部１７を備えている。動画再生制御部１６については実施形態２で説明する。バックライト制御部１７については実施形態３で説明する。
【００２２】
表示制御部１１は、後述する調整処理部１４５により調整された表示内容の変化率に基づいて作成された画像を、表示部２０に表示する。タッチパネル制御部１２は、タッチパネル３０からタッチ操作およびスライド操作の検出結果を取得し、変化率調整部１４に供給する。取得するスライド操作の検出結果は、スライドの向き、およびスライド量（スライドした距離）の情報を含む。接触センサ制御部１３は、接触センサ４０からタッチ操作およびスライド操作の検出結果を取得し、変化率調整部１４に供給する。取得するスライド操作の検出結果は、スライドの向き、およびスライド量の情報を含む。
【００２３】
変化率調整部１４は、タッチ判定部１４１、スライド判定部１４２、スライド量取得部１４３、変化率取得部１４４、および調整処理部１４５を備えている。タッチ判定部１４１は、タッチパネル制御部１２および接触センサ制御部１３から供給される検出結果に基づき、タッチパネル３０および接触センサ４０に対するタッチ操作があったか否かを判定する。
【００２４】
スライド判定部１４２は、タッチ判定部１４１により上記タッチ操作があったと判定された場合、タッチパネル制御部１２および接触センサ制御部１３から供給された検出結果に基づき、以下の（１）から（３）を判定する。
（１）タッチパネル３０および接触センサ４０において、上記タッチ操作がスライド操作に移行されたか否か。
（２）タッチパネル３０のみにおいて、上記タッチ操作がスライド操作に移行されたか否か。
（３）接触センサ４０のみにおいて上記タッチ操作がスライド操作に移行されたか否か。
【００２５】
スライド量取得部１４３は、スライド判定部１４２の判定結果に基づき、スライド量を取得する。具体的には、
（１）スライド判定部１４２によりタッチパネル３０および接触センサ４０においてタッチ操作がスライド操作に移行されたことが判定された場合、スライド量取得部１４３は、当該スライド操作のスライド量を取得する。
（２）スライド判定部１４２によりタッチパネル３０のみにおいてタッチ操作がスライド操作に移行されたことが判定された場合、スライド量取得部１４３は、当該スライド操作のスライド量を取得する。
（３）スライド判定部１４２により接触センサ４０のみにおいてタッチ操作がスライド操作に移行されたことが判定された場合、スライド量取得部１４３は、当該スライド操作のスライド量を取得する。
【００２６】
変化率取得部１４４は、変化率対応テーブルを参照し表示内容の変化率を取得する。ここで、変化率対応テーブルは、例えば、スライド操作が検出された箇所および方向と、表示内容の変化率とが対応づけられたテーブルである。また、スライド操作が検出された箇所とは、具体的には、（１）タッチパネル３０および接触センサ４０、（２）タッチパネル３０、または（３）接触センサ４０、である。変化率対応テーブルには、各検出箇所に対して相違する変化率が設定されている。変化率取得部１４４は、取得した表示内容の変化率を後述する調整処理部１４５に供給する。
【００２７】
調整処理部１４５は、スライド量取得部１４３により供給されたスライド量、および変化率取得部１４４により供給された表示内容の変化率に応じて、後述するカメラ制御部１５に、ズームインまたはズームアウトを指示する。カメラ制御部１５は、調整処理部１４５からの指示に基づきカメラ６０を制御する。
【００２８】
（ズームイン）
図３および図４に基づきズームインについて説明する。図３は電子機器１による被写体Ｄ１撮影時において、タッチパネル３０に対するスライド操作に応じたズームインの一例を示す図である。図３の（ａ）はスライド操作前の画像を示す図であり、図３の（ｂ）はスライド操作後の画像を示す図である。図４は、電子機器１による被写体Ｄ１の撮影時において、接触センサ４０に対するスライド操作に応じたズームインの一例を示す図である。図４の（ａ）はスライド操作前の画像を示す図であり、図４の（ｂ）はスライド操作後の画像を示す図である。電子機器１を表示部２０が横長になる状態で使用した場合について説明する。
【００２９】
図３の（ａ）では、被写体Ｄ１が等倍（１倍）で表示部２０に表示されている。この状態において、タッチパネル３０および接触センサ４０に対してタッチ操作が行われ、その後、タッチパネル３０のみに対して画面下側から画面上側（図３の（ａ）における矢印の方向）に向けてスライド操作が行われる。これにより、当該スライド操作のスライド量に応じて、撮影画像拡大の微調整を行えるズーム倍率（１．１倍、１．２倍、１．３倍・・・）で被写体Ｄ１がズームインされる。図３の（ｂ）では、当該スライド操作により等倍から１．３倍にズームインされた被写体Ｄ１の画像が表示部２０に表示されている。
【００３０】
図４の（ａ）では、被写体Ｄ１が等倍で表示部２０に表示されている。この状態において、タッチパネル３０および接触センサ４０に対してタッチ操作が行われ、その後、接触センサ４０のみに対して画面下側から画面上側に（図４の（ａ）における矢印の方向）に向けてスライド操作が行われる。これにより、当該スライド操作のスライド量に応じて、撮影画像を急拡大できるズーム倍率（２倍、３倍、４倍・・・）で被写体Ｄ１がズームインされる。図４の（ｂ）では、当該スライド操作により等倍から４倍にズームインされた被写体Ｄ１の画像が表示部２０に表示されている。
【００３１】
つまり、同じスライド量であっても、（１）タッチパネル３０に対するスライド操作、または、（２）接触センサ４０に対するスライド操作、であるかにより、変化率が相違する。これにより、例えば、表示内容を所望の倍率で表示する場合、操作領域が小さい接触センサ４０へのスライド操作で表示内容の大まかな倍率を調整し、操作領域が大きく操作しやすいタッチパネル３０へのスライド操作で表示内容の倍率の微調整を行うことができる。そのため、表示内容の倍率の調整が容易となる。後述するズームアウトでも同様の効果を奏する。
【００３２】
なお、例えば、接触センサ４０に対するスライド操作が、接触センサ４０から接触センサ４０に隣接するタッチパネル３０に連続して行われてもよい。その場合、接触センサ４０からタッチパネル３０に対するスライド操作の距離を、接触センサ４０に対するスライド量として取得する。
【００３３】
（ズームアウト）
図５および図６に基づきズームアウトについて説明する。図５は、電子機器１による被写体Ｄ１撮影時において、タッチパネル３０に対するスライド操作に応じたズームアウトの一例を示す図である。図５の（ａ）はスライド操作前の画像を示す図であり、図５の（ｂ）はスライド操作後の画像を示す図である。図６は、電子機器１による被写体Ｄ１撮影時において、接触センサ４０に対するスライド操作に応じたズームアウトの一例を示す図である。図６の（ａ）はスライド操作前の画像を示す図であり、図６の（ｂ）はスライド操作後の画像を示す図である。電子機器１を表示部２０が横長になる状態で使用した場合について説明する。
【００３４】
図５の（ａ）では、１．３倍に拡大された被写体Ｄ１の画像が表示部２０に表示されている。この状態において、タッチパネル３０および接触センサ４０に対してタッチ操作が行われ、その後、タッチパネル３０のみに対して画面上側から画面下側（図５の（ａ）における矢印の方向）に向けてスライド操作が行われる。これにより、当該スライド操作のスライド量に応じて、撮影画像縮小の微調整を行えるズーム倍率で被写体Ｄ１がズームアウトされる。図５の（ｂ）では、当該スライド操作により１．３倍から等倍にズームアウトされた被写体Ｄ１の画像が表示部２０に表示されている。
【００３５】
図６の（ａ）では、４倍に拡大された被写体Ｄ１の画像が表示部２０に表示されている。この状態において、タッチパネル３０および接触センサ４０に対してタッチ操作が行われ、その後、接触センサ４０のみに対して画面上側から画面下側（図６の（ａ）における矢印の方向）に向けてスライド操作が行われる。これにより、当該スライド操作のスライド量に応じて、撮影画像を急縮小できるズーム倍率で被写体Ｄ１がズームアウトされる。図６の（ｂ）では、上記スライド操作により、４倍から等倍にズームアウトされた被写体Ｄ１の画像が表示部２０に表示されている。
【００３６】
なお、電子機器１は、本実施形態と同様のタッチ操作、およびスライド操作によりカメラ６０を通さず単に撮影済の画像を拡大または縮小して表示させることもできる。
【００３７】
また、電子機器１は、（１）タッチパネル３０に対するスライド操作、および（２）接触センサ４０に対するスライド操作と同様に、タッチパネル３０および接触センサ４０に対するスライド操作によりズームイン、ズームアウトを行える。
【００３８】
（変化率調整処理）
図７に基づき、変化率調整処理の一例について説明する。図７は、電子機器１が実行する変化率調整処理の流れの一例を示すフローチャートである。図７に示すように、カメラ６０が起動されると（Ｓ１）、タッチ判定部１４１はタッチパネル３０および接触センサ４０に対するタッチ操作があったか否かを判定する（Ｓ２）。タッチパネル３０および接触センサ４０に対するタッチ操作があった場合（Ｓ２でＹＥＳ）、スライド判定部１４２は、タッチパネル３０および接触センサ４０においてタッチ操作がスライド操作に移行されたか否かを判定する（Ｓ３）。タッチパネル３０および接触センサ４０においてタッチ操作がスライド操作に移行された場合（Ｓ３でＹＥＳ）、スライド量取得部１４３は、タッチパネル３０および接触センサ４０におけるスライド操作のスライド量を取得する（Ｓ４）。
【００３９】
タッチパネル３０および接触センサ４０においてタッチ操作がスライド操作に移行されていなかった場合（Ｓ３でＮＯ）、スライド判定部１４２は、タッチパネル３０のみにおいてタッチ操作がスライド操作に移行されたか否かを判定する（Ｓ５）。タッチパネル３０のみにおいてタッチ操作がスライド操作に移行された場合（Ｓ５でＹＥＳ）、スライド量取得部１４３は、タッチパネル３０におけるスライド操作のスライド量を取得する（Ｓ６）。
【００４０】
タッチパネル３０のみにおいてタッチ操作がスライド操作に移行されていなかった場合（Ｓ５でＮＯ）、スライド判定部１４２は、接触センサ４０のみにおいてタッチ操作がスライド操作に移行されたか否かを判定する（Ｓ７）。接触センサ４０のみにおいてタッチ操作がスライド操作に移行された場合（Ｓ７でＹＥＳ）、スライド量取得部１４３は、接触センサ４０におけるスライド操作のスライド量を取得する（Ｓ８）。
【００４１】
Ｓ４、Ｓ６、およびＳ８において、スライド量取得部１４３がスライド量を取得すると、変化率取得部１４４は、変化率対応テーブルを参照し、スライド操作が検出された箇所および方向に基づき表示内容の変化率を取得する（Ｓ９）。その後、調整処理部１４５は、取得した変化率と各スライド量に応じて表示内容の変化率を調整する（Ｓ１０、調整処理ステップ）。
【００４２】
Ｓ２においてタッチパネル３０および接触センサに対するタッチ操作がない場合（Ｓ２でＮＯ）、およびＳ７において接触センサ４０のみにおいてタッチ操作がスライド操作に移行されていなかった場合（Ｓ７でＮＯ）、電子機器１はタッチパネル３０および接触センサ４０に対するタッチ操作が検出されるまで待機する。
【００４３】
これにより、切欠き部３が形成されている表示部の外縁付近におけるスライド操作により表示内容の変化率を調整できる。そのため、ユーザは、表示内容を確認している視界を遮られることなく表示内容を調整することができる。
【００４４】
（変形例）
図８に基づき、本実施形態の変形例について説明する。図８は、実施形態１の変形例に係る電子機器１のタッチパネル３０および接触センサ４０に対するスライド操作に応じたモード変更の一例を示す図である。図８の（ａ）はスライド操作前の写真撮影モードを示す図であり、図８の（ｂ）はスライド操作後の動画撮影モードを示す図である。
【００４５】
電子機器１は、写真撮影モードにおいて、タッチパネル３０および接触センサ４０に対してスライド操作が行われると、図８の（ａ）および図８の（ｂ）に示すように、写真撮影モードから動画撮影モードに切り替わるものであってもよい。タッチパネル３０および接触センサ４０に対するスライド操作とは、例えば、境界Ｗ１を起点として、タッチパネル３０および接触センサ４０に対して画面下側から画面上側（図８の（ａ）における矢印の方向）に向けて行われるスライド操作のことである。
【００４６】
また、電子機器１は、動画撮影モードにおいて、タッチパネル３０および接触センサ４０に対してスライド操作が行われると、動画撮影モードから写真撮影モードに切り替わるものであってもよい。
【００４７】
〔実施形態２〕
本発明の実施形態２に係る電子機器１Ａについて、図１、および図９から図１１を参照して説明する。電子機器１Ａは、電子機器１と比較し、調整処理部１４５に代えて調整処理部１４５Ａが設けられている点が異なり、その他の構成は同様である。電子機器１Ａは、動画が再生されている状態において、タッチパネル３０および接触センサ４０に対するタッチ操作を検知すると、タッチパネル３０および接触センサ４０の少なくとも一方に対するスライド操作により早送り／巻き戻しの再生ができる。
【００４８】
調整処理部１４５Ａは、スライド量取得部１４３により供給されたスライド量、および変化率取得部１４４により取得された表示内容の変化率に応じて、後述する動画再生制御部１６に、動画の早送り、巻き戻し、または再生速度の変更を指示する。動画再生制御部１６は、調整処理部１４５Ａからの指示に基づき動画を表示部２０に再生する。
【００４９】
（早送り、巻き戻し１）
図９は、電子機器１Ａの接触センサ４０に対するスライド操作に応じた動画再生の一例を示す図である。図９の（ａ）は画面下側へのスライド操作後の動画再生画像を示す図であり、図９の（ｂ）は画面上側へのスライド操作後の動画再生画像を示す図である。なお、ここでの再生は等倍再生を意味する。また、表示部２０が横長になる状態で電子機器１Ａを使用した場合について説明する。
【００５０】
電子機器１Ａで動画が再生されている状態において、タッチパネル３０および接触センサ４０に対してタッチ操作が行われる。その後、図９の（ａ）に示すように、接触センサ４０から画面下側（図９の（ａ）における矢印の方向）に向けて、接触センサ４０に対してスライド操作が行われる。これにより、当該スライド操作のスライド量に応じて巻き戻された時点から動画が再生される。具体的には、当該スライド操作がされると動画の再生が中断する。そして、シークバーＢ１において、当該スライド操作が行われた時点から図９の（ａ）の破線矢印方向に、当該スライド操作のスライド量に応じてスライダーＳ１が移動する。スライダーＳ１が移動した時点から動画が再度再生される。つまり、当該スライド操作では、当該スライド操作のスライド量に応じて、動画が再生されている時点から、当該時点より以前の時点に巻き戻す時間の長さ（スライダーＳ１の移動距離）を調整することができる。
【００５１】
また、動画が再生されている状態において、タッチパネル３０および接触センサ４０に対してタッチ操作が行われる。その後、図９の（ｂ）に示すように、接触センサ４０から画面上側（図９の（ｂ）における矢印の方向）に向けて、接触センサ４０に対してスライド操作が行われる。これにより、当該スライド操作のスライド量に応じて早送りされた時点から動画が再生される。具体的には、当該スライド操作がされると再生が中断する。そして、シークバーＢ１において、当該スライド操作が行われた時点から図９の（ｂ）の破線矢印方向に、当該スライド操作のスライド量に応じてスライダーＳ１が移動する。スライダーＳ１が移動した時点から動画が再度再生される。つまり、当該スライド操作では、当該スライド操作のスライド量に応じて、動画が再生されている時点から、当該時点より以後の時点に早送りする時間の長さ（スライダーＳ１の移動距離）を調整することができる。
【００５２】
また、接触センサ４０に対するスライド操作が、接触センサ４０から接触センサ４０に隣接するタッチパネル３０に連続して行われてもよい。その場合、スライド量は、接触センサ４０からタッチパネル３０に連続して行われたスライド操作の距離とする。
【００５３】
（早送り、巻き戻し２）
図１０は、電子機器１Ａの接触センサ４０に対するスライド操作に応じた動画再生の他の例を示す図である。図１０の（ａ）はスライド操作前の動画再生画像を示す図であり、図１０の（ｂ）は画面左側へのスライド操作後の動画再生画像を示す図であり、図１０の（ｃ）は画面右側へのスライド操作後の動画再生画像を示す図である。表示部２０が縦長になる状態で電子機器１Ａを使用した場合について説明する。
【００５４】
図１０の（ａ）では、再生されている動画のある時点の画像が表示されている。この状態において、タッチパネル３０および接触センサ４０に対してタッチ操作が行われる。その後、図１０の（ｂ）に示すように、接触センサ４０から画面左側（図１０の（ｂ）における矢印の方向）に向けて、接触センサ４０に対してスライド操作が行われる。これにより、当該スライド操作のスライド量に応じた倍速で動画が巻き戻し再生（逆再生）される。言い換えると、当該スライド操作のスライド量に応じた倍速で、シークバーＢ１においてスライダーＳ１が画面左側に移動するように再生される。
【００５５】
また、図１０の（ａ）の状態において、タッチパネル３０および接触センサ４０に対してタッチ操作が行われる。その後、図１０の（ｃ）に示すように、接触センサ４０から画面右側（図１０の（ｃ）における矢印の方向）に向けて、接触センサ４０に対してスライド操作が行われる。これにより、当該スライド操作のスライド量に応じた倍速で動画が早送り再生される。言い換えると、当該スライド操作のスライド量に応じた倍速で、シークバーＢ１においてスライダーＳ１が画面右側に移動するように再生される。
【００５６】
（再生速度の調整）
電子機器１Ａは、動画が再生されている状態において、タッチパネル３０および接触センサ４０に対するスライド操作により再生速度を変更できる。図１１は電子機器１Ａのタッチパネル３０および接触センサ４０に対するスライド操作に応じた動画再生の一例を示す図である。図１１の（ａ）は画面下側へのスライド操作後の動画再生画像を示す図であり、図１１の（ｂ）は画面上側へのスライド操作後の動画再生画像を示す図である。表示部２０が横長になる状態で電子機器１Ａを使用した場合について説明する。
【００５７】
動画が再生されている状態において、タッチパネル３０および接触センサ４０に対してタッチ操作が行われる。その後、図１１の（ａ）に示すように、境界Ｗ２を起点として、タッチパネル３０および接触センサ４０に対して、画面上側から画面下側（図１１の（ａ）における矢印の方向）に向けてスライド操作が行われる。これにより、スライド量に応じて、０．９倍、０．８倍、０．７倍・・・となる再生速度で動画が再生される。つまり、動画の再生速度をスライド量に応じて遅くすることができる。図１１の（ａ）では、当該スライド操作により０．６倍の再生速度で動画が再生されている。
【００５８】
また、動画が再生されている状態において、タッチパネル３０および接触センサ４０に対してタッチ操作が行われる。その後、図１１の（ｂ）に示すように、境界Ｗ２を起点として、タッチパネル３０および接触センサ４０に対して、画面下側から画面上側（図１１の（ｂ）における矢印の方向）に向けてスライド操作が行われる。これにより、スライド量に応じて、１．１倍、１．２倍、１．３倍・・・となる再生速度で動画が再生される。つまり、動画の再生速度をスライド量に応じて早くすることができる。図１１の（ｂ）では、当該スライド操作により１．４倍の再生速度で動画が再生されている。
【００５９】
（変形例）
図１２に基づき、本実施形態の変形例について説明する。図１２は実施形態２の変形例に係る電子機器１Ａのタッチパネル３０に対するスライド操作に応じた動画再生の一例を示す図である。図１２の（ａ）は画面下側へのスライド操作後の動画再生画像を示す図であり、図１２の（ｂ）は画面上側へのスライド操作後の動画再生画像を示す図である。表示部２０が横長になる状態で電子機器１Ａを使用した場合について説明する。
【００６０】
電子機器１Ａは、動画が再生されている状態において、タッチパネル３０のみに対してスライド操作が行われると、当該動画を最初から再生する、または別の動画に移行して再生するものであってもよい。具体的には、動画が再生されている状態において、図１２の（ａ）に示すように、タッチパネル３０のみに対して画面上側から画面下側（図１２の（ａ）における矢印の方向）に向けてスライド操作が行われる。これにより、当該動画が最初から再生される。
【００６１】
また、動画が再生されている状態において、図１２の（ｂ）に示すように、タッチパネル３０のみに対して画面下側から画面上側（図１２の（ｂ）における矢印の方向）に向けてスライド操作が行われる。これにより、当該動画とは別の動画が再生される。上記別の動画は、当該動画の次に記憶部５０に保存されている動画でもよく、ユーザによって任意に設定できる。
【００６２】
〔実施形態３〕
本発明の実施形態３に係る電子機器１Ｂについて、図１、および図１３を参照して説明する。電子機器１Ｂは、電子機器１と比較し、調整処理部１４５に代えて調整処理部１４５Ｂが設けられている点が異なり、その他の構成は同様である。電子機器１Ｂは、バックライト７０が点灯している状態において、タッチパネル３０および接触センサ４０に対するタッチ操作を検知すると、タッチパネル３０および接触センサ４０の少なくとも一方に対するスライド操作によりバックライト７０の輝度を調整できる。
【００６３】
バックライト７０は、表示部２０に背面から光を照射するための光源である。バックライト制御部１７は、調整処理部１４５Ｂからの指示に基づきバックライト７０の輝度を調整する。調整処理部１４５Ｂは、スライド量取得部１４３により供給されたスライド量、および変化率取得部１４４により取得された表示内容の変化率に応じて、バックライト制御部１７に、輝度の変更を指示する。
【００６４】
（輝度調整）
図１３は、実施形態３に係る電子機器１Ｂの接触センサ４０に対するスライド操作に応じた輝度変化の一例を示す図である。図１３の（ａ）はスライド操作前の表示部２０の明るさを示す図であり、図１３の（ｂ）は画面上側へのスライド操作後の表示部２０の明るさを示す図であり、図１３の（ｃ）は画面下側へのスライド操作後の表示部２０の明るさを示す図である。表示部２０が横長になる状態で電子機器１Ｂを使用した場合について説明する。
【００６５】
図１３の（ａ）に示すように、バックライト７０が点灯している状態において、タッチパネル３０および接触センサ４０に対してタッチ操作が行われる。その後、図１３の（ｂ）に示すように、接触センサ４０のみに対して、画面下側から画面上側（図１３の（ｂ）における実線矢印の方向）に向けてスライド操作が行われる。これにより、当該スライド操作のスライド量に応じて、バックライト７０の輝度が高くなる。つまり、当該スライド操作のスライド量に応じて表示部２０が明るくなる。
【００６６】
また、バックライト７０が点灯している状態において、タッチパネル３０および接触センサ４０に対してタッチ操作が行われる。その後、図１３の（ｃ）に示すように、接触センサ４０のみに対して、画面上側から画面下側（図１３の（ｃ）における実線矢印の方向）に向けてスライド操作が行われる。これにより、当該スライド操作のスライド量に応じて、バックライト７０の輝度が低くなる。つまり、当該スライド操作のスライド量に応じて表示部２０が暗くなる。
【００６７】
（変形例）
図１４に基づき、本実施形態の変形例について説明する。電子機器１Ｂは、接触センサ４０に対してスライド操作を行うことで音量を変更できるものであってもよい。図１４は、実施形態３の変形例に係る電子機器１Ｂの接触センサ４０に対するスライド操作に応じた音量変化の一例を示す図である。図１４の（ａ）は画面下側へのスライド操作後の音量を示す図であり、図１４の（ｂ）は画面上側へのスライド操作後の音量を示す図である。表示部２０が横長になる状態で電子機器１Ｂを使用した場合について説明する。
【００６８】
電子機器１Ｂは、音声を出力するスピーカ、およびスピーカを制御するスピーカ制御部を備えていてもよい。音が出力されている状態において、図１４の（ａ）に示すように、接触センサ４０のみに対して、画面上側から画面下側（図１４の（ａ）における実線矢印の方向）に向けてスライド操作が行われる。これにより、当該スライド操作のスライド量に応じて、音量が小さくなる。
【００６９】
また、音が出力されている状態において、図１４の（ｂ）に示すように、接触センサ４０のみに対して、画面下側から画面上側（図１４の（ｂ）における実線矢印の方向）に向けてスライド操作が行われる。これにより、当該スライド操作のスライド量に応じて、音量が大きくなる。
【００７０】
〔実施形態４〕
電子機器１・１Ａ・１Ｂの制御ブロック（表示制御部１１、タッチパネル制御部１２、接触センサ制御部１３、変化率調整部１４、タッチ判定部１４１、スライド判定部１４２、スライド量取得部１４３、変化率取得部１４４、調整処理部１４５・１４５Ａ・１４５Ｂ、カメラ制御部１５、動画再生制御部１６、およびバックライト制御部１７）は、集積回路（ＩＣチップ）等に形成された論理回路（ハードウェア）によって実現してもよいし、ソフトウェアによって実現してもよい。
【００７１】
後者の場合、電子機器１・１Ａ・１Ｂは、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７２】
〔まとめ〕
本発明の態様１に係る電子機器（１・１Ａ・１Ｂ）は、周縁領域の少なくとも一部に切欠き部（３）が形成されている表示部（２０）と、前記表示部（２０）に重畳されたタッチパネル（３０）と、前記切欠き部（３）に嵌るように配置された接触センサ（４０）と、制御部（１０）と、を備え、前記制御部（１０）は、前記タッチパネル（３０）および前記接触センサ（４０）に対するタッチ操作を検知すると、前記タッチパネル（３０）および前記接触センサ（４０）の少なくとも一方に対するスライド量に応じて、前記表示部（２０）における表示内容の変化率を調整する調整処理を実行する。
【００７３】
上記構成によれば、切欠き部が形成されている表示部の外縁付近におけるスライド操作により表示内容の変化率を調整できる。そのため、ユーザは、表示内容を確認している視界を遮られることなく表示内容を調整することができる。また、（１）タッチパネルおよび接触センサ、（２）タッチパネル、および（３）接触センサ、のいずれに対するスライド操作であるかにより、スライド量に対する変化率を異ならせることができる。これにより、スライド量が同じスライド操作であっても、表示内容の変化率を多様に設定することができる。
【００７４】
本発明の態様２に係る電子機器は、上記態様１において、前記制御部（１０）が実行する調整処理は、前記表示内容のズーム倍率の調整処理であることが好ましい。上記構成によれば、周縁領域におけるスライド操作により表示内容のズーム倍率を変更することができる。これにより、画像を表示している場合において、表示内容を確認しているユーザの視界を遮ることなく表示している画像のズーム倍率を調整することができる。
【００７５】
本発明の態様３に係る電子機器は、上記態様１または２において、前記接触センサ（４０）に対するスライド量に応じた前記表示内容の変化率と、前記タッチパネル（３０）に対するスライド量に応じた前記表示内容の変化率が相違していることが好ましい。上記構成によれば、例えば、画像を所望の倍率で表示する場合、大きい変化率のスライド操作で大まかに倍率の調整を行い、小さい変化率のスライド操作で倍率の微調整を行うことができるため、倍率の調整が容易となる。
【００７６】
本発明の態様４に係る電子機器は、上記態様１から３のいずれかにおいて、前記接触センサ（４０）が、指紋センサであることが好ましい。上記構成によれば、例えば、指紋センサによるロック解除の操作の後、動作を大きく変化させることなく表示内容の変化率を変更することができる。
【００７７】
本発明の態様５に係る制御装置（制御部１０）は、周縁領域の少なくとも一部に切欠き部が形成されている表示部（２０）と、前記表示部（２０）に重畳されたタッチパネル（３０）と、前記切欠き部（３）に嵌るように配置された接触センサ（４０）と、を備える電子機器（１・１Ａ・１Ｂ）を制御するための制御装置であって、前記制御装置は、前記タッチパネル（３０）および前記接触センサ（４０）に対するスライド操作を検知すると、前記タッチパネル（３０）および前記接触センサ（４０）の少なくとも一方に対するスライド量に応じて、前記表示部（２０）における表示内容の変化率を調整する調整処理を実行する調整処理部（変化率調整部１４）を備えている。上記構成によれば、上記態様１と同様の作用効果を奏する。
【００７８】
本発明の態様６に係る電子機器（１・１Ａ・１Ｂ）の制御方法は、周縁領域の少なくとも一部に切欠き部（３）が形成されている表示部（２０）と、前記表示部（２０）に重畳されたタッチパネル（３０）と、前記切欠き部（３）に嵌るように配置された接触センサ（４０）と、を備える電子機器（１・１Ａ・１Ｂ）を制御するための制御方法であって、前記タッチパネル（３０）および前記接触センサ（４０）に対するスライド操作を検知すると、前記タッチパネル（３０）および前記接触センサ（４０）の少なくとも一方に対するスライド量に応じて、前記表示部（２０）における表示内容の変化率を調整する調整処理ステップを備えている。上記構成によれば、上記態様１と同様の作用効果を奏する。
【００７９】
本発明の各態様に係る電子機器は、コンピュータによって実現してもよく、この場合には、コンピュータを上記電子機器が備える各部（ソフトウェア要素）として動作させることにより上記電子機器をコンピュータにて実現させる電子機器の制御プログラム、およびそれを記録したコンピュータ読み取り可能な記録媒体も、本発明の範疇に入る。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８１】
１・１Ａ・１Ｂ  電子機器、２  周縁領域、３  切欠き部、１０  制御部、１４  変化率調整部、  ２０  表示部、３０  タッチパネル、４０  接触センサ、１４１  タッチ判定部、１４２  スライド判定部、１４３  スライド量取得部、１４４  変化率取得部、１４５・１４５Ａ・１４５Ｂ  調整処理部
【図１】
2020057216.tif 000003
【図２】
2020057216.tif 000004
【図３】
2020057216.tif 000005
【図４】
2020057216.tif 000006
【図５】
2020057216.tif 000007
【図６】
2020057216.tif 000008
【図７】
2020057216.tif 000009
【図８】
2020057216.tif 000010
【図９】
2020057216.tif 000011
【図１０】
2020057216.tif 000012
【図１１】
2020057216.tif 000013
【図１２】
2020057216.tif 000014
【図１３】
2020057216.tif 000015
【図１４】
2020057216.tif 000016